【手続補正書】
【提出日】平成19年5月1日(2007.5.1)
【手続補正１】
【補正対象書類名】明細書
【補正対象項目名】特許請求の範囲
【補正方法】変更
【補正の内容】
【特許請求の範囲】
【請求項１】 リプログラムされた二倍体細胞を調製する方法であって、 ドナー細胞又はドナー核とレシピエント細胞とを準備することと；
前記ドナー細胞又はドナー核を前記レシピエント細胞中に導入して、異数体細胞を生産することと；
前記ドナー核がリプログラムされ得るのに十分な期間、前記異数体細胞を適切な環境中に置くことと；
必要に応じて、前記異数体細胞を活性化工程に供することと；
前記リプログラムされた異数体細胞から前記レシピエント細胞の核又は核のＤＮＡを除去、破壊、又は喪失させることにより、前記リプログラムされた異数体細胞からリプログラムされた二倍体細胞を作成すること；
とを含む方法。
【請求項２】 前記レシピエント細胞が、卵母細胞、接合子、又は胚性割球である請求項１に記載の方法。
【請求項３】 前記卵母細胞が第２中期卵母細胞である請求項２に記載の方法。
【請求項４】 前記レシピエント細胞が、胚性幹細胞、胚性生殖細胞、始原生殖細胞、癌腫細胞、又は他の多能性幹細胞である請求項１に記載の方法。
【請求項５】 前記ドナー核又は細胞が、これらから生じた体細胞又は核である請求項１に記載の方法。
【請求項６】 前記ドナー核又は細胞が、これらから生じた卵丘細胞又は核である請求項５に記載の方法。
【請求項７】 前記ドナー核又は細胞が、これらから生じた胚性細胞又は核である請求項１に記載の方法。
【請求項８】 前記ドナー核又は細胞が、これらから生じた生殖細胞又は核である請求項１に記載の方法。
【請求項９】 前記ドナー核又は細胞が、これらから生じた胚性幹細胞、胚性生殖細胞、始原生殖若しくは体幹細胞又は核である請求項１に記載の方法。
【請求項１０】 前記ドナー核又は細胞が、圧電補助式顕微操作によって前記レシピエント細胞に導入される請求項１に記載の方法。
【請求項１１】 前記レシピエント細胞の核又は核ＤＮＡが、異数体細胞の分裂前に、実質的に除去又は破壊される請求項１に記載の方法。
【請求項１２】 前記ドナー細胞が胚細胞にリプログラムされる請求項１に記載の方法。
【請求項１３】 前記リプログラムされた細胞が多能性胚細胞を含有する動物胚を形成することができる請求項１２に記載の方法。
【請求項１４】 多能性幹細胞が多能性胚細胞に由来する請求項１３に記載の方法。
【請求項１５】 胚性幹細胞株が生産される請求項１４に記載の方法。
【請求項１６】 リプログラムされた遺伝子修飾を受けた二倍体細胞を調製する方法であって、 望ましくない活性が失われ、若しくは減少するように、又は望ましい活性を与え、若しくは増加させるように遺伝子修飾を受けたドナー細胞又はドナー核とレシピエント細胞とを準備することと；
前記ドナー細胞又は核を前記レシピエント細胞中に導入して、異数体細胞を生産することと；
前記ドナー核がリプログラムされ得るのに十分な期間、前記異数体細胞を適切な環境中に置くことと；
必要に応じて、前記異数体細胞を活性化工程に供することと；
前記リプログラムされた異数体細胞から前記レシピエント細胞の核又は核のＤＮＡを除去、破壊、又は喪失させることにより、前記リプログラムされた異数体細胞から、リプログラムされた遺伝子修飾を受けた二倍体細胞を作成すること；とを含む方法。
【請求項１７】 リプログラムされた遺伝的に異常な細胞を調製する方法であって、 遺伝病を有する動物又はヒトから得られた細胞のような遺伝的に異常な細胞に由来するドナー細胞又はドナー核とレシピエント細胞とを準備することと；
前記ドナー細胞又は核を前記レシピエント細胞中に導入して、異数体細胞を生産することと；
前記ドナー核がリプログラムされ得るのに十分な期間、前記異数体細胞を適切な環境中に置くことと；
必要に応じて、前記異数体細胞を活性化工程に供することと；
前記リプログラムされた異数体細胞から前記レシピエント細胞の核又は核のＤＮＡを除去、破壊、又は喪失させることにより、前記リプログラムされた異数体細胞から、前記異常なドナー細胞の核と等しい遺伝的組成を有するリプログラムされた遺伝的に異常な細胞を作成すること；
とを含む方法。
【請求項１８】 １以上の請求項１に記載のリプログラムされた細胞又は該細胞の誘導物を含む、組織又は臓器の機能を回復又は改善するための医薬組成物であって、前記細胞又はその誘導物が前記動物に、好ましくは前記組織又は臓器の部位又はその近傍に移植されるものであり、前記移植された細胞又はその誘導物が前記組織又は臓器へと再定着せしめられるものである、医薬組成物。
【請求項１９】 １以上の請求項１６に記載の遺伝子修飾され、リプログラムされた細胞又は該細胞の誘導物を含む、遺伝子治療のための医薬組成物であって、前記細胞又はその誘導物が前記動物に移植されるものであり、前記細胞又はその誘導物が前記動物中に再定着せしめられて遺伝子治療が与えられるものである、医薬組成物。
【請求項２０】 前記リプログラムされた細胞から、細胞株、組織、臓器、又は動物胚を作成する工程をさらに含む請求項１に記載の方法。
【請求項２１】 前記動物胚からヒト以外の動物を作成する工程をさらに含む請求項２０に記載の方法。
【請求項２２】 前記リプログラムされた細胞から、遺伝子修飾を受けた細胞、細胞株、組織、又は臓器、又はトランスジェニック動物胚を作成するさらなる工程を請求項１６に記載の方法。
【請求項２３】 前記動物胚からヒト以外のトランスジェニック動物を作成する工程をさらに含む請求項２２に記載の方法。
【請求項２４】 請求項１の方法によって生産された細胞。
【請求項２５】 請求項１６の方法によって生産された遺伝子修飾を受けた細胞。
【請求項２６】 請求項２０の方法によって生産された細胞、細胞株、組織、臓器、又は動物胚。
【請求項２７】 請求項２２の方法によって生産された遺伝子修飾を受けた細胞、細胞株、組織、又は臓器、又はトランスジェニック動物胚。
【請求項２８】 請求項２１の方法によって生産されたヒト以外の動物。
【請求項２９】 請求項２３の方法によって生産されたヒト以外のトランスジェニック動物。
【請求項３０】 動物胚を作成する方法であって、 ドナー核とレシピエント細胞を準備することと；
前記ドナー核を前記レシピエント細胞中に導入して、異数体細胞を生産することと；
必要に応じて、前記異数体細胞を活性化工程に供することと；
前記異数体細胞から前記レシピエント細胞の核又は核ＤＮＡを除去、破壊、又は喪失させることによって前記異数体細胞からリプログラムされた二倍体細胞を作成することと；
前記リプログラムされた二倍体細胞から動物胚を作成すること：とを含む方法。
【請求項３１】 トランスジェニック動物胚を作成する方法であって、 望ましくない活性が失われ、若しくは減少するように、又は望ましい活性を与え、若しくは増加させるように遺伝子修飾を受けたドナー核とレシピエント細胞とを準備することと；
前記ドナー核を前記レシピエント細胞中に加えて、遺伝子修飾を受けた異数体細胞を生産することと；
必要に応じて、前記異数体細胞を活性化工程に供することと；
前記異数体細胞から前記レシピエント細胞の核又は核ＤＮＡを除去、破壊、又は喪失させることによって前記異数体細胞からリプログラムされた二倍体細胞を作成することと；
前記リプログラムされた二倍体細胞からトランスジェニック動物胚を作成すること：とを含む方法。
【請求項３２】 異数体又はリプログラムされた二倍体細胞を調製する方法であって、 ドナー核、外来核酸分子、及びレシピエント細胞を準備することと；
前記ドナー核と前記外来核酸分子を前記レシピエント細胞中に導入して、異数体を生産することと；
必要に応じて、レシピエント細胞の核又は核ＤＮＡを除去、破壊、又は喪失させることによって、前記異数体細胞からリプログラムされた二倍体細胞を作成すること；
とを含む方法。
【請求項３３】 トランスジェニック動物胚を作成する方法であって、 ドナー核、外来核酸分子、及びレシピエント細胞を準備することと；
前記ドナー核と前記外来核酸分子を前記レシピエント細胞中に導入して、異数体細胞を生産することと；
必要に応じて、レシピエント細胞の核又は核ＤＮＡを除去、破壊、又は喪失させることによって、前記異数体細胞からリプログラムされた二倍体細胞を作成することと；
前記異数体又はリプログラムされた二倍体細胞からトランスジェニック動物胚を作成すること；
とを含む方法。
【請求項３４】 リプログラムされた二倍体胚性細胞又は胚を調製する方法であって、 ドナー細胞又はドナー細胞核とレシピエント卵母細胞又は胚性細胞とを準備することと；
前記ドナー細胞又はドナー細胞核を、前記レシピエント卵母細胞又は胚性細胞中に導入して、異数体細胞を生産することと；
前記ドナー核がリプログラムされ得るのに十分な期間、前記異数体細胞を適切な環境中に置くことと；
必要に応じて、前記異数体細胞を活性化工程に供することと；
前記リプログラムされた異数体細胞又は１以上のその娘細胞から前記レシピエント細胞の核又は核のＤＮＡを除去、破壊、又は喪失させることにより、前記リプログラムされた異数体細胞から、リプログラムされた二倍体胚性細胞を作成すること；
とを含む方法。